(57)【特許請求の範囲】
【請求項１】
スマートデバイス（１０）と連結されて音声が入力及び出力される音声入出力装置において、
スマートデバイス（１０）には、デジタル信号が入力及び出力されるデータポート（１３）が備えられ、
音声入出力装置は、スマートデバイス（１０）のデータポート（１３）に接続される操作部（３０）、並びに、操作部（３０）に接続された、電気信号を音声として出力する出力部（２０）及び音声を電気信号に変換するマイク（２２）を備え、
操作部（３０）は、出力部（２０）に接続されたＤ／Ａ変換部（５１）、及びマイク（２２）に接続されたＡ／Ｄ変換部（５２）を備え、データポート（１３）から出力されたデジタルの音声信号を、Ｄ／Ａ変換部（５１）によってアナログの音声信号に変換して出力部（２０）に出力し、マイク（２２）で生成されたアナログの音声信号を、Ａ／Ｄ変換部（５２）によってデジタルの音声信号に変換してデータポート（１３）に入力し、
操作部（３０）に、データポート（１３）と出力部（２０）とをＤ／Ａ変換部（５１）を介して結ぶ出力側導線と、マイク（２２）とデータポート（１３）とをＡ／Ｄ変換部（５２）を介して結ぶ入力側導線とを連結する接続部（４０）が配設され、
接続部（４０）は、データポート（１３）から送出された音声信号をデータポート（１３）に再入力することを特徴とするデータ再入力型スマートデバイス用音声入出力装置。
【請求項２】
スマートデバイス（１０）と連結されて音声が入力及び出力される音声入出力装置において、
スマートデバイス（１０）には、ブルートゥースモジュール（１７）が搭載され、
音声入出力装置は、操作部（３０）、並びに、操作部（３０）に接続された、電気信号を音声として出力する出力部（２０）及び音声を電気信号に変換するマイク（２２）を備え、
操作部（３０）は、スマートデバイス（１０）のブルートゥースモジュール（１７）に接続されるブルートゥースモジュール（１７）、並びに、操作部（３０）のブルートゥースモジュール（１７）に接続され、出力部（２０）に接続されたＤ／Ａ変換部（５１）、及び操作部（３０）のブルートゥースモジュール（１７）に接続され、マイク（２２）に接続されたＡ／Ｄ変換部（５２）を備え、スマートデバイス（１０）のブルートゥースモジュール（１７）から送信され、操作部（３０）のブルートゥースモジュール（１７）に受信されたデジタルの音声信号を、Ｄ／Ａ変換部（５１）によってアナログの音声信号に変換して出力部（２０）に出力し、マイク（２２）で生成されたアナログの音声信号を、Ａ／Ｄ変換部（５２）によってデジタルの音声信号に変換して操作部（３０）のブルートゥースモジュール（１７）に入力し、スマートデバイス（１０）のブルートゥースモジュール（１７）に送信し、
操作部（３０）に、部作部（３０）のブルートゥースモジュール（１７）と出力部（２０）とをＤ／Ａ変換部（５１）を介して結ぶ出力側導線と、マイク（２２）と操作部（３０）のブルートゥースモジュール（１７）とをＡ／Ｄ変換部（５２）を介して結ぶ入力側導線とを連結する接続部（４０）が配設され、
接続部（４０）は、スマートデバイス（１０）のブルートゥースモジュール（１７）から送信された音声信号をスマートデバイス（１０）のブルートゥースモジュール（１７）に再入力することを特徴とするデータ再入力型スマートデバイス用音声入出力装置。
【発明の詳細な説明】
【技術分野】
【０００１】
本発明は、スマートフォン、タブレット型コンピュータ等の、音声信号入出力機能を備えたスマートデバイス（Ｓｍａｒｔ  Ｄｅｖｉｃｅ）１０に接続される、マイク２２付きイヤホン、外付けスピーカ等の音声入出力装置であるデータ再入力型スマートデバイス用音声入出力装置に関し、スマートデバイス１０から出力されたデジタル音声信号をイヤレシーバ（Ｅａｒ  Ｒｅｃｅｉｖｅｒ）、スピーカ等の出力部２０に音声出力することができ、また、スマートデバイス１０から送出された音声信号を抽出し、スマートデバイス１０にデジタル音声信号として再入力することによって、外部で発生した音響だけでなく、スマートデバイス１０において発生させられた音響をスマートデバイス１０に高品質で再入力することができるようにしたものである。
【背景技術】
【０００２】
高性能処理装置、大容量記憶装置及び高画質タッチスクリーンが搭載されたスマートフォン、タブレット型コンピュータ等のスマートデバイス１０は、単なる通信機器としてだけでなく、多様な応用プログラムを実行する多機能情報機器として活用されている。
【０００３】
スマートデバイス１０は、小型化及び軽量化することによって電力の消費を抑制するとともに、携帯性を向上させることによって情報機器の使用時間上、使用スペース上等の制約を抑制しており、スマートデバイス１０の小型化及び軽量化は、スマートデバイス１０に内蔵された処理装置及び記憶装置を集積化することによって、また、多くのスマートデバイス１０において採用されているタッチスクリーンの例から分かるように、入力及び出力の機能を併せ持った統合型入出力装置を使用することによって達成される。
【０００４】
現在、市場に出ているスマートデバイス１０は、処理速度等において通常のデスクトップコンピュータと同等の性能を有しており、これにより、ゲーム、マルチメディア情報処理等の多様な機能を備える応用プログラムが実行されるので、高品質な音声信号の入力及び出力機能も搭載されることが一般的である。
【０００５】
スマートデバイス１０における音声信号の入力及び出力は、スマートデバイス１０に組み込まれたスピーカ及びマイクを介して行われてもよいが、前述されたように、スマートデバイス１０を小型化及び軽量化する必要があることから、音声入出力装置が組み込まれなかったり、音声信号の出力が小さくされたりするので、従来、図１に示されるようなスマートデバイス１０用マイク２２付きイヤホン等の着脱型音声入出力装置によって行われる（特許文献１参照。）。
【先行技術文献】
【特許文献】
【０００６】
【特許文献１】韓国公開特許第１０−２００５−１１１２７３号公報
【発明の概要】
【発明が解決しようとする課題】
【０００７】
従来のスマートデバイス１０用マイク２２付きイヤホンは、図１に示されるように、イヤレシーバ等の出力部２０及びマイク２２が連結された導線の末端にジャック２３が配設され、スマートデバイス１０のアナログ音声端子１１に接続される。
【０００８】
そして、スマートデバイス１０から出力されたアナログの音声信号によって出力部２０が駆動され、マイク２２において生成された音声信号がスマートデバイス１０に入力信号として入力されるようになっている。なお、出力部２０とマイク２２とは、外形上、単一の製品であるイヤホンの形態で一体化されているが、電気的な挙動上、独立した構造を有する。
【０００９】
したがって、図１に示されるような従来のスマートデバイス１０用マイク２２付きイヤホンにおいて、出力部２０は、スマートデバイス１０から出力された音声信号を単純に音声出力し、マイク２２は、スマートデバイス１０の外部で発生した使用者の音声等のような音響をスマートデバイス１０に単純に音声入力するだけであり、スマートデバイス１０の音声信号と入力信号との間にいかなる形態の相互作用ももたらされない。
【００１０】
このような音声信号及び入力信号を個別に処理するのには、スマートデバイス１０の使用上制約があり、例えば、スマートデバイス１０において発生させられた音響を、損失及び歪みが発生するのを抑制して録音したり、録画物に追加したりする等の処理を行うことができない。
【００１１】
すなわち、スマートデバイス１０において発生させられた音響を同じスマートデバイス１０に録音する場合においては、スマートデバイス１０に組み込まれたスピーカ又は出力部２０から送出され、空気中を伝播した音響が、同じスマートデバイス１０に組み込まれたマイク２２又はマイク２２付きイヤホンに入力される方式で録音されるので、音量及び音質が低下してしまう。
【００１２】
特に、スマートデバイス１０でゲームを行うのと同時に、動画キャプチャのための応用プログラムを実行し、ゲーム画面を、ゲーム実行中に発生した音響を含めて録画したり、スマートデバイス１０で動画を撮影するのと同時に、スマートデバイス１０に収録された音楽ファイルを再生して背景音楽として動画に挿入したりする場合、スマートデバイス１０自体が、優れた音声入出力の性能及び処理性能を有しているにもかかわらず、各性能を十分に活用することができず、完成した音声及び映像記録物も使用者の期待に応えられないという深刻な問題があった。
【００１３】
本発明は、前記従来のスマートデバイス１０用マイク２２付きイヤホンの問題点を解決して、別の装置を使用することなく、一般のマイク付きイヤホン型の簡素な装置のみを使用して、スマートデバイス１０から出力される音声信号を抽出し、同じスマートデバイス１０に簡単に再入力することができ、音声信号の抽出及び再入力過程における損失及び歪みが発生するのを抑制することができるデータ再入力型スマートデバイス用音声入出力装置を提供することを目的とする。
【課題を解決するための手段】
【００１４】
前述された問題点を解決するために、本発明のデータ再入力型スマートデバイス用音声入出力装置においては、スマートデバイス１０と連結されて音声が入力及び出力され、スマートデバイス１０には、デジタル信号が入力及び出力されるデータポート１３が備えられ、音声入出力装置は、スマートデバイス１０のデータポート１３に接続される操作部３０、並びに、操作部３０に接続された、電気信号を音声として出力する出力部２０及び音声を電気信号に変換するマイク２２を備え、操作部３０は、出力部２０に接続されたＤ／Ａ変換部５１、及びマイク２２に接続されたＡ／Ｄ変換部５２を備え、データポート１３から出力されたデジタルの音声信号を、Ｄ／Ａ変換部５１によってアナログの音声信号に変換して出力部２０に出力し、マイク２２で生成されたアナログの音声信号を、Ａ／Ｄ変換部５２によってデジタルの音声信号に変換してデータポート１３に入力し、操作部３０に、データポート１３と出力部２０とをＤ／Ａ変換部５１を介して結ぶ出力側導線と、マイク２２とデータポート１３とをＡ／Ｄ変換部５２を介して結ぶ入力側導線とを連結する接続部４０が配設され、接続部４０は、データポート１３から送出された音声信号をデータポート１３に再入力する。
【００１５】
また、本発明の他のデータ再入力型スマートデバイス用音声入出力装置においては、スマートデバイス１０と連結されて音声が入力及び出力され、スマートデバイス１０には、ブルートゥースモジュール（Ｂｌｕｅｔｏｏｔｈ  Ｍｏｄｕｌｅ：登録商標）１７が搭載され、音声入出力装置は、操作部３０、並びに、操作部３０に接続された、電気信号を音声として出力する出力部２０及び音声を電気信号に変換するマイク２２を備え、操作部３０は、スマートデバイス１０のブルートゥースモジュール１７に接続されるブルートゥースモジュール１７、並びに、操作部３０のブルートゥースモジュール１７に接続され、出力部２０に接続されたＤ／Ａ変換部５１、及び操作部３０のブルートゥースモジュール１７に接続され、マイク２２に接続されたＡ／Ｄ変換部５２を備え、スマートデバイス１０のブルートゥースモジュール１７から送信され、操作部３０のブルートゥースモジュール１７に受信されたデジタルの音声信号を、Ｄ／Ａ変換部５１によってアナログの音声信号に変換して出力部２０に出力し、マイク２２で生成されたアナログの音声信号を、Ａ／Ｄ変換部５２によってデジタルの音声信号に変換して操作部３０のブルートゥースモジュール１７に入力し、スマートデバイス１０のブルートゥースモジュール１７に送信し、操作部３０に、部作部３０のブルートゥースモジュール１７と出力部２０とをＤ／Ａ変換部５１を介して結ぶ出力側導線と、マイク２２と操作部３０のブルートゥースモジュール１７とをＡ／Ｄ変換部５２を介して結ぶ入力側導線とを連結する接続部４０が配設され、接続部４０は、スマートデバイス１０のブルートゥースモジュール１７から送信された音声信号をスマートデバイス１０のブルートゥースモジュール１７に再入力する。
【発明の効果】
【００１６】
本発明によれば、データ再入力型スマートデバイス１０用音声入出力装置において、別の装置を使用することなく、一般のマイク付きイヤホン型の簡素な装置だけを使用して、スマートデバイス１０から出力される音声信号を抽出し、同じスマートデバイス１０に簡単に再入力することができ、音声信号の抽出及び再入力過程における損失及び歪みが発生するのを最小限に抑制することができる。
【００１７】
また、スマートデバイス１０を介した録音又は録画過程において、スマートデバイス１０において発生させられた音響を入力音響として自由に利用することができるので、使用者の便宜性及びスマートデバイス１０の利便性を向上させることができる。
【００１８】
特に、本発明のデータ再入力型スマートデバイス１０用音声入出力装置は、一般のイヤホンと同じ構造、使用法及び外形を有するので、使用者が容易に操作することができ、イヤレシーバ等の出力部２０によって音響を聴いたり、マイク２２から音声を入力したり、スマートデバイス１０において発生させられた音響を再入力したりする機能を同時に行うことができるだけでなく、これらの機能を選択的に使用することができるので、使用者の便宜性を一層向上させることができる。
【図面の簡単な説明】
【００１９】
【図１】従来のスマートデバイス用マイク付きイヤホンを示す斜視図である。
【図２】本発明の実施の形態におけるデータ再入力型スマートデバイス用音声入出力装置の斜視図である。
【図３】本発明の実施の形態におけるデータ再入力型スマートデバイス用音声入出力装置の構造及び電気的連結状態の例を示す図である。
【図４】本発明の実施の形態におけるデータ再入力型スマートデバイス用音声入出力装置の構造及び電気的連結状態の他の例を示す図である。
【図５】小型のコネクタが用いられる本発明の実施の形態を示す斜視図である。
【図６】コネクタ直結型操作部が用いられる本発明の実施の形態を示す斜視図である。
【図７】スピーカ内蔵型操作部が用いられる本発明の実施の形態を示す斜視図である。
【図８】無線でスマートデバイスに接続される本発明の実施の形態を示す斜視図である。
【図９】無線でスマートデバイスに接続される本発明の実施の形態におけるデータ再入力型スマートデバイス用音声入出力装置の構造及び電気的連結状態の例を示す図である。
【発明を実施するための形態】
【００２０】
以下、添付した図面を参照して、本発明による構成及び作動原理について詳述する。
【００２１】
図２は本発明のデータ再入力型スマートデバイス１０用音声入出力装置の外観及び使用状態を示す図であり、図に示されるように、本発明は、電気信号を音声として出力する、イヤレシーバ等の出力部２０、音声を電気信号に変換するマイク２２、及びスイッチ４１が装着された操作部３０、マイクロＵＳＢ等のコネクタ３７等から成る。コネクタ３７が、スマートフォン等のスマートデバイス１０の、デジタル信号が入力及び出力されるデータポート１３に接続され、スマートデバイス１０から出力されるデジタルデータから成るデジタルの音声信号が操作部３０に出力され、操作部３０は、出力された音声信号を処理して出力部２０に音声出力する。また、操作部３０のマイク２２に入力された音響は、操作部３０内でデジタルデータから成るデジタルの入力信号に変換され、コネクタ３７を介してデータポート１３に入力される。
【００２２】
すなわち、本発明のデータ再入力型スマートデバイス１０用音声入出力装置は、従来のスマートデバイス１０用マイク２２付きイヤホンとは異なり、アナログ信号ではなくデジタル信号に基づいて作動するものであり、図１に示される従来のスマートデバイス１０用マイク２２付きイヤホンのように、スマートデバイス１０のアナログ音声端子１１ではなく、デジタルデータポート１３に接続されるので、アナログベースで音声信号の処理が行われる従来の技術と比べて、音声信号の処理過程で発生する損失及び歪みを大幅に低減することができる。
【００２３】
図３は、本発明のデータ再入力型スマートデバイス１０用音声入出力装置の構造及び電気的連結状態を示す図であり、図に示されるように、本発明においては、デジタルの音声信号を出力するスマートデバイス１０のデータポート１３と操作部３０とが連結され、操作部３０とマイク２２及び出力部２０とが連結される。また、操作部３０には、Ｄ／Ａ変換部５１、Ａ／Ｄ変換部５２、接続部４０等が内蔵される。
【００２４】
すなわち、本発明は、スマートデバイス１０と連結されて音声が入力及び出力される音声入出力装置であり、そのために、図３に示されるように、スマートデバイス１０には、デジタルデータが入力及び出力されるデータポート１３が配設され、音声入出力装置には操作部３０が配設され、操作部３０に、電気的な音声信号を音声として出力する出力部２０、及び音声を電気的な音声信号に変換するマイク２２が接続される。
【００２５】
操作部３０はスマートデバイス１０のデータポート１３に接続される。また、操作部３０には、出力部２０に接続されたＤ／Ａ変換部５１、及びマイク２２に接続されたＡ／Ｄ変換部５２が内蔵される。データポート１３から出力されたデジタルの音声信号は、Ｄ／Ａ変換部５１によってアナログの音声信号に変換されて出力部２０に出力（伝達）され、マイク２２で生成されたアナログの音声信号は、Ａ／Ｄ変換部５２によってデジタルの音声信号に変換されてデータポート１３に入力（伝達）される。
【００２６】
さらに、前記操作部３０には接続部４０が内蔵され、接続部４０によって、データポート１３と出力部２０とをＤ／Ａ変換部５１を介して結ぶ出力側導線と、マイク２２とデータポート１３とをＡ／Ｄ変換部５２を介して結ぶ入力側導線とが連結される。
【００２７】
このように、データポート１３と出力部２０とを結ぶ出力側導線と、マイク２２とデータポート１３とを結ぶ入力側導線とが、接続部４０を介して連結されるので、データポート１３から出力された音声信号を接続部４０によって抽出し、マイク２２とデータポート１３とを結ぶ入力側導線に流入させ、データポート１３に再入力することができる。
【００２８】
したがって、本発明においては、従来のスマートデバイス１０用マイク２２付きイヤホンのように、スマートデバイス１０に備えられたオペレーティングシステム又は応用プログラムの作動によって生成及び変換されたアナログの音声信号が、スマートデバイス１０に組み込まれたスピーカ又はイヤレシーバから出力された後、空気中を伝播し、スマートデバイス１０又はイヤホンが物理的に振動することによってマイク２２に入力されるのではなく、スマートデバイス１０に備えられたオペレーティングシステム又は応用プログラムの作動によってスマートデバイス１０のプロセッサで生成され、データポート１３から出力されたデジタルの音声信号が、空気中を物理的に伝播することなく、接続部４０を介してスマートデバイス１０のデータポート１３に電気的に直接入力されるので、音響に損失及び歪みが発生するのを大幅に抑制することができる。
【００２９】
すなわち、本発明のデータ再入力型スマートデバイス１０用音声入出力装置においては、前述されたように、スマートデバイス１０のデータポート１３から出力されたデジタルの音声信号が、操作部３０内のＤ／Ａ変換部５１によってアナログ音声信号に変換されて、イヤレシーバ、スピーカ等の出力部２０から音声として出力される。また、外部の音響又は使用者の音声等が入力されたマイク２２で生成されたアナログの音声信号が、Ａ／Ｄ変換部５２によってデジタルの音声信号に変換されて、スマートデバイス１０のデータポート１３に入力される。
【００３０】
そして、データポート１３とＤ／Ａ変換部５１とを結ぶ出力側導線と、Ａ／Ｄ変換部５２とデータポート１３とを結ぶ入力側導線とが接続部４０によって連結されているので、スマートデバイス１０から出力され、出力側導線を介して伝達されるデジタルの音声信号が、入力側導線に流入させられ、スマートデバイス１０のデータポート１３に再入力される。
【００３１】
また、接続部４０には、図３に示されるように、スイッチング部４２及びミキシング部４３が配設される。スイッチング部４２は、接続部４０における電気的な連結状態を断続するものであり、スイッチング部４２として、選択回路、スイッチング素子、スイッチング素子群、チップセット（Ｃｈｉｐ  Ｓｅｔ）等、多様な形態のものを使用することができる。ミキシング部４３は、出力側導線を伝達される音声信号と、入力側導線を伝達される音声信号とを混合することによって、スマートデバイス１０から出力される音響と、外部から入力される音響とから成る新しい音響の音声信号を生成し、データポート１３に入力する。
【００３２】
スイッチング部４２は、図２に示される、操作部３０に装着されたスイッチ４１と連動させられていて、使用者がスイッチ４１を操作することによって接続部４０における連結状態を断続することによって、前述されたように、スマートデバイス１０から出力された音響及び外部から入力された音響が共にデータポート１３に入力されたり、スマートデバイス１０から出力された音響又は外部から入力された音響が択一的にデータポート１３に入力されたり、スマートデバイス１０から出力された音響及び外部から入力された音響のいずれものデータポート１３への入力が遮断されたりする。
【００３３】
また、図３において仮想線（二点鎖線）で示されるように、出力側導線上及び入力側導線上に、信号を増幅又は減衰させたり、雑音を除去したりするための調整部３３が配設される。調整部３３は、出力部２０から出力される信号又はマイク２２で生成された信号を調整することによって、音声信号の入力及び出力を適切な値になるように増減したり、雑音を除去したりする。
【００３４】
図４は本発明のデータ再入力型スマートデバイス１０用音声入出力装置の構造及び電気的連結状態の他の例を示す図である。
【００３５】
図３の電気的連結状態においては、出力側導線からデジタルの音声信号が抽出され、入力側導線に入力されるようになっているが、図４の電気的連結状態においては、出力側導線からアナログ音声信号が抽出され、入力側導線に入力される。
【００３６】
そのために、Ｄ／Ａ変換部５１と出力部２０とを結ぶ出力側導線と、マイク２２とＡ／Ｄ変換部５２とを結ぶ入力側導線とが接続部４０を介して連結される。
【００３７】
この場合、音声信号を調整する調整部３３は、出力側導線上及び入力側導線上において、接続部４０より前段部（スマートデバイス１０側）及び後段部（出力部２０及びマイク２２側）に配設されるようになっているが、接続部４０より前段部又は後段部に択一的に配設することができる。
【００３８】
このように、データ再入力型スマートデバイス１０用音声入出力装置においては、別の装置を使用することなく、一般のマイク２２付きイヤホン型の簡素な装置だけを使用して、スマートデバイス１０から出力される音声信号を抽出し、同じスマートデバイス１０に簡単に再入力することができ、音声信号の抽出及び再入力過程における損失及び歪みが発生するのを最小限に抑制することができる。
【００３９】
また、スマートデバイス１０による録音又は録画過程において、スマートデバイス１０において発生させられた音響を入力音響として自由に利用することができるので、使用者の便宜性及びスマートデバイス１０の利便性を向上させることができる。
【００４０】
特に、本発明のデータ再入力型スマートデバイス１０用音声入出力装置は、一般のイヤホンと同じ構造、使用法及び外形を有するので、使用者が容易に操作することができ、イヤレシーバ等の出力部２０によって音響を聴いたり、マイク２２から音声を入力したり、スマートデバイス１０において発生させられた音響を再入力したりする機能を同時に行うことができるだけでなく、これらの機能を選択的に使用することができるので、使用者の便宜性を一層向上させることができる。
【００４１】
図５〜７は本発明の種々の実施の形態を示す図である。各データ再入力型スマートデバイス用音声入出力装置の外形又は構成部品に微細な相違はあるが、前述された図３及び４に示されるデータ再入力型スマートデバイス用音声入出力装置の基本的な構造に相違はない。
【００４２】
図５は、スマートデバイス１０のデータポート１３に接続されるコネクタ３７として、スマートフォンに主として使用される小型でリバーシブルのコネクタ、例えば、ライトニング（Ｌｉｇｈｔｎｉｎｇ）コネクタ（アップル（Ａｐｐｌｅ）社製：登録商標）３７を用いた実施の状態を示しており、図６においては、操作部３０にコネクタ３７が直結された実施の形態を示しており、コネクタ３７として、アンドロイド（Ａｎｄｒｏｉｄ：登録商標）系列のスマートフォンに主として使用されるマイクロＵＳＢ（Ｍｉｃｒｏ  ＵＳＢ）を用いた実施の状態を示している。
【００４３】
また、図７は、出力部２０として、イヤレシーバではなく、操作部３０に配設されたスピーカを用いた実施の形態を示している。
【００４４】
この場合、外付けのマイク２２が操作部３０に対して着脱自在に接続される。なお、図において仮想線（二点鎖線）で示されるように、一般に使用されるイヤホンを操作部３０に接続することができる。
【００４５】
そして、図８及び９は、無線でスマートデバイスに接続される本発明の実施の形態を示す斜視図、及び無線でスマートデバイスに接続される本発明のデータ再入力型スマートデバイス１０用音声入出力装置の構造及び電気的連結状態の例を示す図であり、この場合、スマートデバイス１０と操作部３０とが、データポート１３及びコネクタ３７によって有線で接続されるのではなく、スマートデバイス１０及び操作部３０にそれぞれ内蔵された低消費電力の近距離無線通信モジュールであるブルートゥースモジュール１７を介して無線で接続される。
【００４６】
すなわち、図９に示されるように、スマートデバイス１０には、ブルートゥースモジュール１７が搭載され、データ再入力型スマートデバイス１０用音声入出力装置には、電気信号を音声として出力する出力部２０、及び音声を電気信号に変換するマイク２２を備えた操作部３０が配設され、操作部３０にブルートゥースモジュール１７が内蔵される。そして、スマートデバイス１０のブルートゥースモジュール１７と操作部３０のブルートゥースモジュール１７とがペアリング（Ｐａｉｒｉｎｇ）されて両者間に無線通信路が設定されると、前述されたデータポート１３及びコネクタ３７を介したデジタルの音声信号の伝達のように、両ブルートゥースモジュール１７間の無線通信路を介したデジタルの音声信号の伝達が行われる。
【００４７】
また、操作部３０には、出力部２０に接続されたＤ／Ａ変換部５１、及びマイク２２に接続されたＡ／Ｄ変換部５２が内蔵され、Ｄ／Ａ変換部５１及びＡ／Ｄ変換部５２とブルートゥースモジュール１７とが連結される。
【００４８】
スマートデバイス１０のブルートゥースモジュール１７によって送信され、操作部３０のブルートゥースモジュール１７によって受信されたデジタルの音声信号は、Ｄ／Ａ変換部５１によってアナログの音声信号に変換されて出力部２０に出力され、マイク２２で生成されたアナログの音声信号は、Ａ／Ｄ変換部５２によってデジタルの音声信号に変換されて操作部３０のブルートゥースモジュール１７に入力された後、スマートデバイス１０のブルートゥースモジュール１７に無線で送信される。
【００４９】
ここで、本発明のデータ再入力型スマートデバイス１０用音声入出力装置においては、操作部３０のブルートゥースモジュール１７と出力部２０とをＤ／Ａ変換部５１を介して結ぶ出力側導線と、マイク２２と操作部３０のブルートゥースモジュール１７とをＡ／Ｄ変換部５２を介して結ぶ入力側導線とが接続部４０によって連結されていて、スマートデバイス１０のブルートゥースモジュール１７から送信された音声信号が接続部４０によって抽出され、スマートデバイス１０のブルートゥースモジュール１７に送信され、再入力される。
【００５０】
この場合、図９において仮想線（二点鎖線）で示されるように、出力側導線上及び入力側導線上において、Ｄ／Ａ変換部５１及びＡ／Ｄ変換部５２より前段部（スマートデバイス１０側）及び後段部（出力部２０及びマイク２２側）に接続部４０が配設されるようになっているが、Ｄ／Ａ変換部５１及びＡ／Ｄ変換部５２より前段部又は後段部に択一的に接続部４０を配設することができる。
【００５１】
接続部４０がＤ／Ａ変換部５１及びＡ／Ｄ変換部５２より前段部に配設される場合、接続部４０において、スマートデバイス１０のブルートゥースモジュール１７から送信され、操作部３０のブルートゥースモジュール１７によって受信され、出力側導線に送出されたデジタルの音声信号が抽出され、入力側導線に入力される。
【００５２】
また、接続部４０がＤ／Ａ変換部５１及びＡ／Ｄ変換部５２より後段部に配設される場合、スマートデバイス１０のブルートゥースモジュール１７によって受信され、出力側導線に送出されたデジタルの音声信号がＤ／Ａ変換部５１によってアナログの音声信号に変換され、接続部４０において、アナログの音声信号が抽出され、入力側導線に流入させられ、続いて、Ａ／Ｄ変換部５２によってデジタルの音声信号に変換され、スマートデバイス１０のブルートゥースモジュール１７に再入力される。
【００５３】
このように、ブルートゥースモジュール１７を介した無線送受信が行われる、図９に示される実施の形態においても、前述された図３及び４に示される有線方式の実施の形態と同様に、出力側導線と入力側導線とを相互に連結する接続部４０にスイッチング部４２及びミキシング部４３が配設される。スイッチング部４２としては、選択回路、スイッチング素子、スイッチング素子群、チップセット等、多様な形態のものを用いることができる。
【符号の説明】
【００５４】
１０    スマートデバイス
１１    音声端子
１３    データポート
１７    ブルートゥースモジュール
２０    出力部
２２    マイク
２３    ジャック
３０    操作部
３３    調整部
３７    コネクタ
４０    接続部
４１    スイッチ
４２    スイッチング部
４３    ミキシング部
５１    Ｄ／Ａ変換部
５２    Ａ／Ｄ変換部
【図１】
0006330078.tif 000002
【図２】
0006330078.tif 000003
【図３】
0006330078.tif 000004
【図４】
0006330078.tif 000005
【図５】
0006330078.tif 000006
【図６】
0006330078.tif 000007
【図７】
0006330078.tif 000008
【図８】
0006330078.tif 000009
【図９】
0006330078.tif 000010